(57)【要約】【課題】  複数の各種電界放出型ランプを含む様々な分野における照明系に適用可能にして、汎用性及び応用性（発展性）を高めるとともに、部品点数を削減し、装置全体の小型化、消費電力の削減及びコストダウンを図る。【解決手段】  ゲート用直流電圧Ｖｓｇが入力し、複数のゲート用安定化電圧Ｖ１ｄｇ…Ｖｎｄｇを出力する電圧安定化回路６と、各ゲート用安定化電圧Ｖ１ｄｇ…Ｖｎｄｇがそれぞれ入力し、少なくとも電圧の大きさを調整したゲート印加電圧Ｖ１ｇ…Ｖｎｇを出力して複数の電界放出型ランプＬ１…Ｌｎのゲートにそれぞれ印加する複数のゲート電圧制御回路７１…７ｎとを備える。【選択図】  図１
2013232360.tif 000002
【特許請求の範囲】
【請求項１】
スイッチング信号を出力する信号回路と、このスイッチング信号によりスイッチング素子をオン／オフ制御して直流入力電圧をスイッチングするスイッチング回路と、スイッチングされた入力電圧を昇圧する昇圧トランスと、この昇圧トランスの出力電圧を整流するとともに、少なくとも、電界放出型ランプのゲートに供給するためのゲート用直流電圧及びアノードに供給するためのアノード用直流電圧を出力する整流回路とを備える電界放出型ランプの駆動装置であって、前記ゲート用直流電圧が入力し、複数のゲート用安定化電圧を出力する電圧安定化回路と、各ゲート用安定化電圧がそれぞれ入力し、少なくとも電圧の大きさを調整したゲート印加電圧を出力して複数の電界放出型ランプのゲートにそれぞれ印加する複数のゲート電圧制御回路とを具備してなることを特徴とする電界放出型ランプの駆動装置。
【請求項２】
前記整流回路は、直列接続した複数のダイオード及び直列接続した複数のコンデンサを組合わせて構成した多倍電圧整流回路を用いることを特徴とする請求項１記載の電界放出型ランプの駆動装置。
【請求項３】
前記電圧安定化回路は、複数の電圧制御素子を順次シリーズ接続した耐圧化入力回路を有するとともに、この耐圧化入力回路の電圧入力部に、前記整流回路から出力する前記ゲート用直流電圧を入力し、かつ前記複数の電圧制御素子のうち最小電圧が付加される電圧制御素子（第一特定電圧制御素子）から前記ゲート用安定化電圧を出力させるとともに、当該第一特定電圧制御素子の制御入力部に、前記ゲート用安定化電圧を安定化させる安定化制御信号を付与することを特徴とする請求項１又は２記載の電界放出型ランプの駆動装置。
【請求項４】
前記電圧安定化回路は、前記第一特定電圧制御素子から出力する前記ゲート用安定化電圧を分圧する分圧回路と、この分圧回路から得る分圧電圧を、前記安定化制御信号として前記第一特定電圧制御素子の制御入力部に付与する電圧帰還回路とを備えることを特徴とする請求項３記載の電界放出型ランプの駆動装置。
【請求項５】
前記電圧帰還回路は、前記第一特定電圧制御素子の電圧出力部と前記制御入力部間にコレクタとエミッタを接続した帰還用トランジスタを有し、前記分圧回路から得る分圧電圧を、ツェナダイオードを介して前記帰還用トランジスタのベースに付与することを特徴とする請求項４記載の電界放出型ランプの駆動装置。
【請求項６】
前記電圧安定化回路は、前記第一特定電圧制御素子の前記電圧出力部から出力する前記ゲート用安定化電圧（第１ゲート用安定化電圧）を第１のゲート電圧制御回路（第１ゲート電圧制御回路）に付与するとともに、前記第１ゲート用安定化電圧を複数の他のゲート用安定化電圧に分圧する分圧出力回路を有し、当該分圧出力回路から得る各ゲート用安定化電圧をそれぞれ第Ｎゲート用安定化電圧（Ｎは２，３…ｎ、また、ｎは整数）として第Ｎゲート電圧制御回路にそれぞれ付与することを特徴とする請求項４又は５記載の電界放出型ランプの駆動装置。
【請求項７】
前記分圧出力回路は、シリーズ接続した複数の電圧制御素子を有することを特徴とする請求項６記載の電界放出型ランプの駆動装置。
【請求項８】
前記ゲート電圧制御回路は、前記ゲート印加電圧を制御用電圧により制御する電圧調整回路を備えることを特徴とする請求項１〜７のいずれかに記載の電界放出型ランプの駆動装置。
【請求項９】
前記電圧制御素子は、ＦＥＴ（電界効果トランジスタ）を用いることを特徴とする請求項３〜８のいずれかに記載の電界放出型ランプの駆動装置。
【発明の詳細な説明】
【技術分野】
【０００１】
本発明は、電子放出源から電界放出された電子により蛍光体を励起発光させる電界放出型ランプに用いて好適な電界放出型ランプの駆動装置に関する。
【背景技術】
【０００２】
電子放出源から電界放出された電子により蛍光体を励起発光させる電界放出型ランプは知られており、通常、電界放出型ランプの発光には専用の駆動装置が用いられる。
【０００３】
従来、この種の駆動装置としては、特許文献１で開示される電界放出型ランプの駆動装置が知られている。同文献１で開示される駆動装置は、スイッチング信号を出力する駆動回路と、このスイッチング信号によりスイッチング素子をオン／オフ制御して直流入力電圧をスイッチングするスイッチング回路と、スイッチングされた入力電圧を昇圧する昇圧トランスと、この昇圧トランスの出力電圧を整流して直流出力電圧を出力する整流回路を備える電界放出型ランプの駆動装置であって、昇圧トランス及びこの昇圧トランスの有する浮遊静電容量を利用した共振回路と、この共振回路にスイッチング信号のオン／オフタイミングをマッチングさせる機能を有する駆動回路を備えたものである。
【０００４】
ところで、電界放出型ランプは、電子放出源や蛍光体の特性バラツキ及び電極間距離の製造上のバラツキ等が存在するため、複数の電界放出型ランプを同一電圧により駆動したとしても全ての電界放出型ランプを均一に発光させるのは容易でない。したがって、この課題を解決するには各電界放出型ランプをそれぞれ駆動する複数の駆動装置を用意する必要がある。しかし、各電界放出型ランプ毎に駆動装置を使用するのは、均一性を確保できるとしても、コストアップや装置全体の大型化、更には消費電力の増加を招くなど、無視できない問題を生じる。
【０００５】
一方、複数の電界放出型ランプを使用する際のコストアップや大型化などの問題を解消することを目的とした駆動装置も特許文献２で知られており、同文献２には、複数の電界放出型ランプを、所定個数のランプで構成される代表ランプを基準として駆動する電界放出型ランプの駆動装置であって、代表ランプに適合する代表ゲート電圧を生成するための安定化電圧を制御し、代表ゲート電圧で代表ランプを駆動制御する第１の制御部と、代表ランプ以外の他のランプを、代表ゲート電圧を与える安定化電圧を分圧したゲート電圧で駆動すると共に、安定化電圧の分圧比を制御して代表ランプと同一電力になるよう駆動制御する第２の制御部とを備えた電界放出型ランプの駆動装置が開示されている。
【先行技術文献】
【特許文献】
【０００６】
【特許文献１】特開２００９−２３８４１４号公報
【特許文献２】特開２０１１−１８７３６５号公報
【発明の概要】
【発明が解決しようとする課題】
【０００７】
しかし、上述した従来における電界放出型ランプの駆動装置、特に、複数のランプを駆動する駆動装置は、次のような解決すべき課題が存在した。
【０００８】
第一に、複数の電界放出型ランプを駆動する従来の駆動装置は、複数の電界放出型ランプが同一規格であることを前提とする。即ち、各電界放出型ランプ間のバラツキを是正することを目的としたものであり、これ以上を想定したものではない。一方、複数の電界放出型ランプを駆動する実際の使用態様においては、例えば、自動車のランプ類のように、ヘッドライトをはじめ、バックライト，方向指示ランプ，室内灯等の様々な種類のランプ類が混在し、必ずしもバラツキの問題だけではない。結局、従来の駆動装置は、このような規格（種類）の異なる様々なランプ類を単一の駆動装置により駆動させることまでは想定していないため、対応することが困難であり、汎用性及び応用性（発展性）の観点からは十分とはいえない。
【０００９】
第二に、複数の異なる安定化電圧を供給して規格の異なる複数の電界放出型ランプを発光させる場合、部品点数の増加は避けられない。したがって、装置全体の大型化、消費電力アップ及びコストアップをできるだけ抑制することは重要な課題となり、特に、自動車のような限られたスペースに配設する場合、最重要課題の一つとして位置づけられる。しかし、従来の駆動装置では、このような課題までを想定していないため、装置全体の大型化、消費電力アップ及びコストアップを抑制し、併せて、各電界放出型ランプ間におけるバラツキの是正及び異なる複数の規格（種類）の電界放出型ランプを的確かつ安定に駆動するというこれらの要請を満たすには更なる改善の余地があった。
【００１０】
本発明は、このような背景技術に存在する課題を解決した電界放出型ランプの駆動装置の提供を目的とするものである。
【課題を解決するための手段】
【００１１】
本発明は、上述した課題を解決するため、スイッチング信号Ｓａ，Ｓｂを出力する信号回路２と、このスイッチング信号Ｓａ，Ｓｂによりスイッチング素子３ａ，３ｂをオン／オフ制御して直流入力電圧Ｖｉをスイッチングするスイッチング回路３と、スイッチングされた入力電圧Ｖｉを昇圧する昇圧トランス４と、この昇圧トランス４の出力電圧Ｖｔｏを整流するとともに、少なくとも、電界放出型ランプＬ１…ＬｎのゲートＬ１ｇ…Ｌｎｇに供給するためのゲート用直流電圧Ｖｓｇ及びアノードＬ１ａ…Ｌｎａに供給するためのアノード用直流電圧Ｖｓａを出力する整流回路５とを備える電界放出型ランプの駆動装置１を構成するに際して、ゲート用直流電圧Ｖｓｇが入力し、複数のゲート用安定化電圧Ｖ１ｄｇ…Ｖｎｄｇを出力する電圧安定化回路６と、各ゲート用安定化電圧Ｖ１ｄｇ…Ｖｎｄｇがそれぞれ入力し、少なくとも電圧の大きさを調整したゲート印加電圧Ｖ１ｇ…Ｖｎｇを出力して複数の電界放出型ランプＬ１…ＬｎのゲートＬ１ｇ…Ｌｎｇにそれぞれ印加する複数のゲート電圧制御回路７１…７ｎとを具備してなることを特徴とする。
【００１２】
この場合、発明の好適な態様により、整流回路５には、直列接続した複数のダイオードＤｓ…及び直列接続した複数のコンデンサＣｓ…を組合わせて構成した多倍電圧整流回路５ｐを用いることができる。一方、電圧安定化回路６には、複数の電圧制御素子８ｓ…及び８ｓｃを順次シリーズ接続した耐圧化入力回路１１を設けるとともに、この耐圧化入力回路１１の電圧入力部に、整流回路５から出力するゲート用直流電圧Ｖｓｇを入力し、かつ複数の電圧制御素子８ｓ…及び８ｓｃのうち最小電圧が付加される電圧制御素子（第一特定電圧制御素子）８ｓｃからゲート用安定化電圧Ｖ１ｄｇを出力させるとともに、当該第一特定電圧制御素子８ｓｃの制御入力部８ｓｃｇに、ゲート用安定化電圧Ｖ１ｄｇを安定化させる安定化制御信号Ｓｃを付与することができる。また、この電圧安定化回路６には、第一特定電圧制御素子８ｓｃから出力するゲート用安定化電圧Ｖ１ｄｇを分圧する分圧回路１２と、この分圧回路１２から得る分圧電圧Ｖｐを、安定化制御信号Ｓｃとして第一特定電圧制御素子８ｓｃの制御入力部８ｓｃｇに付与する電圧帰還回路１３とを設けることができる。この際、電圧帰還回路１３には、第一特定電圧制御素子８ｓｃの電圧出力部８ｓｃｓと制御入力部８ｓｃｇ間にコレクタとエミッタを接続した帰還用トランジスタ１１ｘを設け、分圧回路１２から得る分圧電圧Ｖｐを、ツェナダイオードＤｔｐを介して帰還用トランジスタ１１ｘのベースに付与することができる。
【００１３】
さらに、電圧安定化回路６には、第一特定電圧制御素子８ｓｃの電圧出力部８ｓｃｓから出力するゲート用安定化電圧（第１ゲート用安定化電圧）Ｖ１ｄｇを第１のゲート電圧制御回路（第１ゲート電圧制御回路）７１に付与するとともに、第１ゲート用安定化電圧Ｖ１ｄｇを複数の他のゲート用安定化電圧Ｖ２ｄｇ…Ｖｎｄｇに分圧する分圧出力回路１４を有し、当該分圧出力回路１４から得る各ゲート用安定化電圧Ｖ２ｄｇ…Ｖｎｄｇをそれぞれ第Ｎゲート用安定化電圧Ｖ２ｄｇ，Ｖ３ｄｇ…Ｖｎｄｇ（Ｎは２，３…ｎ、また、ｎは整数）として第Ｎゲート電圧制御回路７２…７ｎにそれぞれ付与することができる。この場合、分圧出力回路１４には、シリーズ接続した複数の電圧制御素子８ｇ…を設けることができる。また、ゲート電圧制御回路７１…には、ゲート印加電圧Ｖ１ｇ…を制御用電圧Ｖ１ｃ…により制御する電圧調整回路１５を設けることができる。なお、電圧制御素子８ｓ…，８ｓｃ，８ｇ…には、ＦＥＴ（電界効果トランジスタ）を用いることが望ましい。
【発明の効果】
【００１４】
このような構成を有する本発明に係る電界放出型ランプの駆動装置１によれば、次のような顕著な効果を奏する。
【００１５】
（１）  同一規格となる複数の電界放出型ランプＬ１…間における発光上のバラツキを解消できることに加え、異なる規格（種類）を有する複数の電界放出型ランプＬ１…を同時に発光させる場合にも、各電界放出型ランプＬ１…を本来の規格となるように正確な輝度により発光させることができる。したがって、複数の各種電界放出型ランプＬ１…を含む様々な分野における照明システムに適用することができるなど、汎用性及び応用性（発展性）に優れる。
【００１６】
（２）  同一規格となる複数の電界放出型ランプＬ１…を発光させる場合、及び異なる規格（種類）を有する複数の電界放出型ランプＬ１…を同時に発光させる場合、の双方に対して、単一の駆動装置１により的確に対応することができる。したがって、部品点数の有効な削減、更には、装置全体の小型化、消費電力の削減及びコストダウンを図ることができるなど、特に、様々な規格（種類）のランプ類を搭載する自動車の照明系などに適用して最適となる。
【００１７】
（３）  好適な態様により、整流回路５に、直列接続した複数のダイオードＤｓ…及び直列接続した複数のコンデンサＣｓ…を組合わせて構成した多倍電圧整流回路５ｐを用いれば、高電圧となるゲート用直流電圧Ｖｓｇ及びアノード用直流電圧Ｖｓａの双方を容易に得ることができる。しかも、昇圧トランス４と組合わせることにより必要な大きさの直流電圧Ｖｓｇ，Ｖｓａを容易かつ確実に得ることができる。
【００１８】
（４）  好適な態様により、電圧安定化回路６に、複数の電圧制御素子８ｓ…及び８ｓｃを順次シリーズ接続した耐圧化入力回路１１を設けるとともに、この耐圧化入力回路１１の電圧入力部に、整流回路５から出力するゲート用直流電圧Ｖｓｇを入力し、かつ複数の電圧制御素子８ｓ…及び８ｓｃのうち最小電圧が付加される電圧制御素子（第一特定電圧制御素子）８ｓｃからゲート用安定化電圧Ｖ１ｄｇを出力させるとともに、当該第一特定電圧制御素子８ｓｃの制御入力部８ｓｃｇに、ゲート用安定化電圧Ｖ１ｄｇを安定化させる安定化制御信号Ｓｃを付与するようにすれば、ゲート用直流電圧Ｖｓｇが、変動等により、例えば、１０〔ｋＶ〕以上の高電圧に達するような場合であっても、複数の電圧制御素子８ｓ…，８ｓｃにより分圧できるため、入力系回路の耐電圧化及び高電圧制御を実現するに際しては、耐電圧の低い部品の使用及び部品点数の削減により、信頼性の向上及びコストダウンを図ることができる。
【００１９】
（５）  好適な態様により、電圧安定化回路６に、第一特定電圧制御素子８ｓｃから出力するゲート用安定化電圧Ｖ１ｄｇを分圧する分圧回路１２と、この分圧回路１２から得る分圧電圧Ｖｐを、安定化制御信号Ｓｃとして第一特定電圧制御素子８ｓｃの制御入力部８ｓｃｇに付与する電圧帰還回路１３とを設ければ、電圧安定化を実現するに際し、部品点数の少ない簡易な回路構成により容易に実現することができる。
【００２０】
（６）  好適な態様により、電圧帰還回路１３に、第一特定電圧制御素子８ｓｃの電圧出力部８ｓｃｓと制御入力部８ｓｃｇ間にコレクタとエミッタを接続した帰還用トランジスタ１１ｘを設け、分圧回路１２から得る分圧電圧Ｖｐを、ツェナダイオードＤｔｐを介して帰還用トランジスタ１１ｘのベースに付与するように構成すれば、目的とする（必要とする）高電圧に対する電圧安定化を実現するための電圧帰還回路１３を容易かつ確実に構成できる。
【００２１】
（７）  好適な態様により、電圧安定化回路６に、第一特定電圧制御素子８ｓｃの電圧出力部８ｓｃｓから出力する第１ゲート用安定化電圧Ｖ１ｄｇを第１ゲート電圧制御回路７１に付与するとともに、第１ゲート用安定化電圧Ｖ１ｄｇを複数の他のゲート用安定化電圧Ｖ２ｄｇ，Ｖ３ｄｇ…Ｖｎｄｇに分圧する分圧出力回路１４を有し、当該分圧出力回路１４から得る各ゲート用安定化電圧をそれぞれ第Ｎゲート用安定化電圧Ｖ２ｄｇ，Ｖ３ｄｇ…Ｖｎｄｇとして第Ｎゲート電圧制御回路７２…７ｎにそれぞれ付与するようにすれば、比較的少ない部品点数の簡易な回路構成により、異なる複数の安定化電圧を容易に得ることができる。
【００２２】
（８）  好適な態様により、分圧出力回路１４に、シリーズ接続した複数の電圧制御素子８ｇ…を設ければ、電圧制御素子８ｇ…に対して抵抗を組合わせるなどにより、必要とする電圧の安定化を容易かつ確実に行うことができる。
【００２３】
（９）  好適な態様により、ゲート電圧制御回路７１…に、ゲート印加電圧Ｖ１ｇ…を制御用電圧Ｖ１ｃ…により制御する電圧調整回路１５を設ければ、ゲート印加電圧Ｖ１ｇ…の大きさ（輝度）の調整（調光制御）を簡易な回路構成により容易かつ確実に実現できるとともに、電界放出型ランプＬ１…に対する駆動装置１としての最適化も容易に行うことができる。
【００２４】
（１０）  好適な態様により、電圧制御素子８ｓ…，８ｓｃ，８ｇ…に、ＦＥＴ（電界効果トランジスタ）を用いれば、比較的ポピュラな部品（ＦＥＴ）の使用により、容易かつ低コストに実施することができる。
【図面の簡単な説明】
【００２５】
【図１】本発明の好適実施形態に係る電界放出型ランプの駆動装置の全体構成を示すブロック系統を含む回路図、
【図２】同駆動装置の要部構成を示す具体的回路図、
【図３】同駆動装置の要部構成部分を説明するための原理的回路図、
【図４】同駆動装置の他の要部構成部分を説明するための原理的回路図、
【図５】同駆動装置の他の要部構成部分を説明するための原理的回路図、
【図６】同駆動装置の他の要部構成部分を説明するための原理的回路図、
【図７】同駆動装置の他の要部構成部分を説明するための原理的回路図、
【発明を実施するための形態】
【００２６】
次に、本発明に係る好適実施形態を挙げ、図面に基づき詳細に説明する。
【００２７】
まず、本実施形態に係る電界放出型ランプの駆動装置１の全体構成について、図１及び図２を参照して説明する。
【００２８】
図１は、本実施形態に係る駆動装置１及びこの駆動装置１により駆動する（発光させる）複数の電界放出型ランプＬ１，Ｌ２…Ｌｎ（ｎは整数）を示す。電界放出型ランプＬ１（Ｌ２…Ｌｎも同じ）は、真空バルブの内部に、カソード電極，ゲート電極，アノード電極の順に間隔を空けて配し、それぞれ外部の端子となるカソードＬ１ｋ，ゲートＬ１ｇ，アノードＬ１ａに接続される。したがって、蛍光体を有するアノードＬ１ａに直流高電圧を印加すれば、電子放出源を有するカソード電極から電子が電界放出され、この電子がアノード電極の蛍光体を励起発光させる発光原理を有する。
【００２９】
一方、駆動装置１は、一次巻線４ｆ及び二次巻線４ｓを有する昇圧トランス４を備える。一次巻線４ｆはセンタタップ付きであり、このセンタタップは電源ラインＨを介して正側入力端子２１ｐに接続する。なお、２１ｎはグランドＧに接続した負側入力端子を示す。例示の駆動装置１は、自動車に搭載することを想定したものである。したがって、入力端子２１ｐ，２１ｎには、バッテリ電圧の直流１２〔Ｖ〕が入力する。また、一次巻線４ｆの一端はスイッチング素子となるＦＥＴ３ａ（ドレイン−ソース間）を介してグランドＧに接続するとともに、一次巻線４ｆの他端はスイッチング素子となるＦＥＴ３ｂ（ドレイン−ソース間）を介してグランドＧに接続する。さらに、電源ラインＨとグランドＧ間には、信号回路２及び制御回路２２を接続する。
【００３０】
信号回路２は、所定周期のパルス信号であるスイッチング信号Ｓａ，Ｓｂを生成して出力する機能を備える。そして、スイッチング信号Ｓａは、ＦＥＴ３ａのゲートに付与するとともに、スイッチング信号Ｓｂは、ＦＥＴ３ｂのゲートに付与する。例示の場合、昇圧トランス４及びこの昇圧トランス４の有する浮遊静電容量により構成される共振回路を利用するため、スイッチング信号Ｓａ，Ｓｂのスイッチング周波数は、６０〔ｋＨｚ〕に設定されている。
【００３１】
また、制御回路２２は、駆動装置１全体を制御する機能を備え、少なくとも後述するゲート電圧制御回路７１，７２…７ｎに制御用電圧Ｖ１ｃ，Ｖ２ｃ…Ｖｎｃを付与することにより、電界放出型ランプＬ１，Ｌ２…Ｌｎの輝度を調整する調光機能を備える。この際、図１に示すように、各電界放出型ランプＬ１，Ｌ２…Ｌｎに対して電流検出部ＤＸ１，ＤＸ２…ＤＸｎを直列に接続し、電流検出部ＤＸ１，ＤＸ２…ＤＸｎにより検出される負荷電流の検出結果を制御回路２２に付与することにより、各電界放出型ランプＬ１，Ｌ２…Ｌｎの負荷電流の変動を是正するフィードバック制御を行う。さらに、図示を省略したが、利用者が操作して任意の輝度に調整できる輝度操作部を設けることにより、利用者が任意の輝度に調整（設定）できるようにしてもよい。したがって、調光機能には、各電界放出型ランプＬ１，Ｌ２…Ｌｎに流れる負荷電流が変動しても駆動電力（輝度）が一定になるように制御する安定化機能（バラツキ修正機能）と、不図示の輝度操作部を操作して電界放出型ランプＬ１…の輝度を任意に変化させる調光機能の双方が含まれる。
【００３２】
他方、昇圧トランス４の二次巻線部４ｓには、この二次巻線部４ｓから出力する出力電圧Ｖｔｏを整流して、少なくとも二系統の直流出力電圧Ｖｓａ，Ｖｓｇを出力する整流回路５を接続する。整流回路５には、図１に示すように、直列接続した複数のダイオードＤｓ…及び直列接続した複数のコンデンサＣｓ…を組合わせて構成する多倍電圧整流回路５ｐを用いることができる。この場合、二次巻線部４ｓの一端から複数のダイオードＤｓ…を順次直列接続するとともに、二次巻線部４ｓの一端及び他端からそれぞれ複数のコンデンサＣｓ…を順次直列接続する。そして、二次巻線部４ｓの一端から接続したコンデンサＤｓ…同士の接続点を、二つのダイオードＤｓ…同士の接続点に順次接続するとともに、一方、二次巻線部４ｓの他端から接続したコンデンサＤｓ…同士の接続点は、初段の接続点を、ダイオードＤｓ…同士の初段の接続点に接続した後、コンデンサＤｓ…同士の次段以降の接続点を、二つのダイオードＤｓ…同士の接続点に順次接続する。これにより、電源ラインＨの直流入力電圧Ｖｉを１２〔Ｖ〕、昇圧トランス４の巻数比を９０とした場合、二次巻線部４ｓからは、概ね１．０８〔ｋＶ〕の交流電圧が出力し、多倍電圧整流回路５ｐにより多倍電圧整流が行われる。例示の場合、最終段のダイオードＤｓからは、略１４．０〔ｋＶ〕のアノード用直流電圧Ｖｓａを得、このアノード用直流電圧Ｖｓａは、前述した電流検出部ＤＸ１…ＤＸｎを介して各電界放出型ランプＬ１…ＬｎのアノードＬ１ａ…Ｌ１ｎに付与される。また、中間段における所定のダイオードＤｓからは、略１０．８〔ｋＶ〕のゲート用直流電圧Ｖｓｇを得、後述する電圧安定化回路６に付与される。
【００３３】
このように、整流回路５に、直列接続した複数のダイオードＤｓ…及び直列接続した複数のコンデンサＣｓ…を組合わせて構成した多倍電圧整流回路５ｐを用いれば、高電圧となるゲート用直流電圧Ｖｓｇ及びアノード用直流電圧Ｖｓａの双方を容易に得ることができる。しかも、昇圧トランス４と組合わせることにより、必要な大きさの直流電圧Ｖｓｇ，Ｖｓａを容易かつ確実に得れる利点がある。
【００３４】
また、本実施形態に係る駆動装置１は、図１に示すように、上述したゲート用直流電圧Ｖｓｇが入力し、複数のゲート用安定化電圧Ｖ１ｄｇ…Ｖｎｄｇを出力する電圧安定化回路６と、各ゲート用安定化電圧Ｖ１ｄｇ…Ｖｎｄｇがそれぞれ入力し、少なくとも電圧の大きさを調整したゲート印加電圧Ｖ１ｇ…Ｖｎｇを出力して複数の電界放出型ランプＬ１…Ｌｎのゲートにそれぞれ印加する複数のゲート電圧制御回路７１…７ｎとを備える。
【００３５】
図２に、電圧安定化回路６及びゲート電圧制御回路７１（７２…７ｎも同じ）の具体的な回路例を示す。この場合、電圧安定化回路６は、大別して、耐圧化入力回路１１，分圧回路１２，電圧帰還回路１３及び分圧出力回路１４を備える。
【００３６】
耐圧化入力回路１１は、複数（例示は５個）のＦＥＴ（電圧制御素子）８ｓ…及び８ｓｃのドレイン−ソース間を順次シリーズ接続して構成するとともに、各ＦＥＴ８ｓ…及び８ｓｃのゲートの相互間はバイアス抵抗Ｒｓ…によりそれぞれ接続する。そして、耐圧化入力回路１１の電圧入力部、即ち、最上位のＦＥＴ８ｓのドレインに、上述した多倍電圧整流回路５ｐから出力するゲート用直流電圧Ｖｓｇを入力させるとともに、複数のＦＥＴ８ｓ…のうち最小電圧が付加される最下位のＦＥＴ８ｓｃのソースからゲート用安定化電圧Ｖ１ｄｇ…を出力させる。したがって、８ｓｃは第一特定ＦＥＴ（第一特定電圧制御素子）となる。この場合、最下位に接続される第一特定ＦＥＴ８ｓｃのソースは所定の抵抗要素を介してグランドＧに接続される。なお、最上位のＦＥＴ８ｓのゲートとドレイン間はバイアス抵抗Ｒｓにより接続する。
【００３７】
このように、電圧安定化回路６に、複数のＦＥＴ８ｓ…及び８ｓｃを順次シリーズ接続した耐圧化入力回路１１を設けるとともに、この耐圧化入力回路１１の電圧入力部に、整流回路５から出力するゲート用直流電圧Ｖｓｇを入力し、かつ複数のＦＥＴ８ｓ…及び８ｓｃのうち最小電圧が付加されるＦＥＴ（第一特定ＦＥＴ）８ｓｃからゲート用安定化電圧Ｖ１ｄｇを出力させるとともに、当該第一特定ＦＥＴ８ｓｃの制御入力部８ｓｃｇに、ゲート用安定化電圧Ｖ１ｄｇを安定化させる安定化制御信号Ｓｃを付与するようにすれば、ゲート用直流電圧Ｖｓｇが、変動等により、例えば、１０〔ｋＶ〕以上の高電圧に達するような場合であっても、複数のＦＥＴ８ｓ…，８ｓｃにより分圧できるため、入力系回路の耐電圧化及び高電圧制御を実現するに際しては、耐電圧の低い部品の使用及び部品点数の削減により、信頼性の向上及びコストダウンを図れる利点がある。
【００３８】
一方、第一特定ＦＥＴ８ｓｃの制御入力部（ゲート）８ｓｃｇにはゲート用安定化電圧Ｖ１ｄｇを安定化させるための安定化制御信号Ｓｃを付与する。図２の例示回路では、第一特定ＦＥＴ８ｓｃのソースからゲート用安定化電圧Ｖ１ｄｇが出力するため、このゲート用安定化電圧Ｖ１ｄｇを、抵抗Ｒ１とＲ２からなる分圧回路１２により分圧し、分圧して得た分圧電圧Ｖｐを安定化制御信号Ｓｃとして用いるとともに、電圧帰還回路１３を介して第一特定ＦＥＴ８ｓｃの制御入力部（ゲート）８ｓｃｇに付与する（帰還させる）ようにした。電圧帰還回路１３は、第一特定ＦＥＴ８ｓｃの電圧出力部（ソース）８ｓｃｓと制御入力部（ゲート）８ｓｃｇ間にコレクタとエミッタを接続した帰還用トランジスタ１１ｘを備えるとともに、分圧電圧Ｖｐ（安定化制御信号Ｓｃ）を帰還用トランジスタ１１ｘのベースに付与するツェナダイオードＤｔｐを備える。なお、ＤｓはツェナダイオードＤｔｐに直列接続した温度補償用ダイオード、Ｒｓは帰還用トランジスタ１１ｘのエミッタ−コレクタ間に接続したバイアス抵抗を示す。
【００３９】
このように、電圧安定化回路６に、第一特定ＦＥＴ８ｓｃから出力するゲート用安定化電圧Ｖ１ｄｇを分圧する分圧回路１２と、この分圧回路１２から得る分圧電圧Ｖｐを、安定化制御信号Ｓｃとして第一特定ＦＥＴ８ｓｃの制御入力部（ゲート）８ｓｃｇに付与する電圧帰還回路１３とを設ければ、電圧安定化を実現するに際し、部品点数の少ない簡易な回路構成により容易に実現できる利点がある。加えて、電圧帰還回路１３に、第一特定ＦＥＴ８ｓｃの電圧出力部（ソース）８ｓｃｓと制御入力部（ゲート）８ｓｃｇ間にコレクタとエミッタを接続した帰還用トランジスタ１１ｘを設け、分圧回路１２から得る分圧電圧Ｖｐを、ツェナダイオードＤｔｐを介して帰還用トランジスタ１１ｘのベースに付与するように構成すれば、目的とする（必要とする）高電圧に対する電圧安定化を実現するための電圧帰還回路１３を容易かつ確実に構成できる利点がある。
【００４０】
一方、電圧安定化回路６は、第一特定ＦＥＴ８ｓｃの電圧出力部８ｓｃｓから出力するゲート用安定化電圧（第１ゲート用安定化電圧）Ｖ１ｄｇを、第１のゲート電圧制御回路（第１ゲート電圧制御回路）７１に付与するとともに、第１ゲート用安定化電圧Ｖ１ｄｇを複数の他のゲート用安定化電圧Ｖ２ｄｇ，Ｖ３ｄｇ…Ｖｎｄｇに分圧する分圧出力回路１４を有し、当該分圧出力回路１４から得る各ゲート用安定化電圧をそれぞれ第Ｎゲート用安定化電圧Ｖ２ｄｇ，Ｖ３ｄｇ…Ｖｎｄｇ（Ｎは２，３…ｎ、また、ｎは整数）として第Ｎゲート電圧制御回路７２…７ｎにそれぞれ付与する。
【００４１】
この場合、分圧出力回路１４は、複数のＦＥＴ（電圧制御素子）８ｇ…のドレイン−ソース間を順次シリーズ接続して構成するとともに、各ＦＥＴ８ｓ…のゲートの相互間は分圧抵抗Ｒ１０，Ｒ１１，Ｒ１２，Ｒ１３，Ｒ１４…によりそれぞれ接続する。分圧出力回路１４は、基本的に、第１ゲート用安定化電圧Ｖ１ｄｇ以外のゲート用安定化電圧、即ち、第２ゲート用安定化電圧Ｖ２ｄｇ…第ｎゲート用安定化電圧Ｖｎｄｇを生成して出力する機能を備える。この場合、各ＦＥＴ８ｇ…のソースから第２ゲート用安定化電圧Ｖ２ｄｇ…第Ｎゲート用安定化電圧Ｖｎｄｇがそれぞれ出力する。なお、図２中、Ｃｓ…は出力安定化用コンデンサを示す。
【００４２】
このように、電圧安定化回路６に、第一特定ＦＥＴ８ｓｃの電圧出力部（ソース）８ｓｃｓから出力する第１ゲート用安定化電圧Ｖ１ｄｇを第１ゲート電圧制御回路７１に付与するとともに、第１ゲート用安定化電圧Ｖ１ｄｇを複数の他のゲート用安定化電圧Ｖ２ｄｇ，Ｖ３ｄｇ…Ｖｎｄｇに分圧する分圧出力回路１４を有し、当該分圧出力回路１４から得る各ゲート用安定化電圧をそれぞれ第Ｎゲート用安定化電圧Ｖ２ｄｇ，Ｖ３ｄｇ…Ｖｎｄｇとして第Ｎゲート電圧制御回路７２…７ｎにそれぞれ付与するようにすれば、比較的少ない部品点数の簡易な回路構成により、異なる複数の安定化電圧を容易に得れる利点がある。さらに、分圧出力回路１４に、シリーズ接続した複数のＦＥＴ８ｇ…を設ければ、ＦＥＴ８ｇ…に対して抵抗を組合わせるなどにより、必要とする電圧の安定化を容易かつ確実に行うことができる。
【００４３】
他方、ゲート電圧制御回路７１（他のゲート電圧制御回路７２…７ｎも同じ）は、図２に示すように、電圧調整回路１５を備えており、制御回路２２から付与される制御用電圧Ｖ１ｃによりゲート印加電圧Ｖ１ｇを制御する機能を備える。ゲート電圧制御回路７１は、ＦＥＴ３２を備え、電圧安定化回路６から付与される第１ゲート用安定化電圧Ｖ１ｄｇは抵抗Ｒｉを介してＦＥＴ３２のドレインに付与される。また、ＦＥＴ３２のソースからはゲート印加電圧Ｖ１ｇが出力し、抵抗Ｒｏを介して電界放出型ランプＬ１のゲートＬ１ｇに付与される。この際、ＦＥＴ３２のソースは、抵抗Ｒ２０，Ｒ２１，Ｒ２２の直列回路を介してグランドＧに接続する。そして、抵抗Ｒ２０とＲ２１の接続点の電圧は、前述した電圧帰還回路１３と同様の電圧帰還回路１３ｔを介して帰還させ、電圧安定化を図る。なお、電圧帰還回路１３ｔにおいて、１１ｚは帰還用トランジスタ、Ｄｔｐはツェナダイオード、Ｄｓは温度補償用ダイオード、Ｒｓはバイアス抵抗をそれぞれ示す。さらに、抵抗Ｒ２２の両端には、ＦＥＴ３３のドレイン−ソース間を接続し、このＦＥＴ３３のゲートに、制御回路２２からの制御用電圧Ｖ１ｃを付与する。なお、図中、Ｃｉ，Ｃｏは電圧安定化用コンデンサを示す。
【００４４】
このように、ゲート電圧制御回路７１…に、ゲート印加電圧Ｖ１ｇ…を制御用電圧Ｖ１ｃ…により制御する電圧調整回路１５を設ければ、ゲート印加電圧Ｖ１ｇ…の大きさ（輝度）の調整（調光制御）を簡易な回路構成により、容易かつ確実に実現できるとともに、電界放出型ランプＬ１…に対する駆動装置１としての最適化も容易に行える利点がある。
【００４５】
次に、本実施形態に係る電界放出型ランプの駆動装置１の動作（機能）について、図１〜図７を参照して説明する。
【００４６】
今、正側入力端子２１ｐ及び負側入力端子２１ｎに、直流入力電圧Ｖｉ（＝１２〔Ｖ〕）が付与された場合を想定する。信号回路２では、設定したオン／オフタイミングに基づいてスイッチング信号Ｓａ，Ｓｂが生成され、ＦＥＴ３ａ，３ｂの各ゲートにそれぞれ付与される。これにより、ＦＥＴ３ａ，３ｂが交互にオン／オフし、一次巻線部４ｆには、スイッチングされた入力電圧Ｖｉが印加されることにより、入力電流Ｉｉが流れる。
【００４７】
また、昇圧トランス４の二次巻線部４ｓからは出力電圧Ｖｔｏが出力し、多倍電圧整流回路５ｐにより多倍電圧整流が行われる。これにより、最終段のダイオードＤｓからは、略１４．０〔ｋＶ〕のアノード用直流電圧Ｖｓａが得られ、前述した電流検出部ＤＸ１…ＤＸｎを介して各電界放出型ランプＬ１…ＬｎのアノードＬ１ａ…Ｌ１ｎに付与されるとともに、中間段における所定のダイオードＤｓからは、略１０．８〔ｋＶ〕のゲート用直流電圧Ｖｓｇが得られ、前述した電圧安定化回路６における耐圧化入力回路１１の最上位のＦＥＴ８ｓのドレインに付与される。
【００４８】
この耐圧化入力回路１１により、ゲート用直流電圧Ｖｓｇが、変動等により高電圧に達するような場合であっても、複数のＦＥＴ８ｓ…，８ｓｃにより分圧できるため、入力系回路の耐電圧化及び高電圧制御を実現するに際しては、耐電圧の低い部品の使用及び部品点数の削減により、信頼性の向上及びコストダウンを図ることができる。
【００４９】
この耐圧化入力回路１１について、図３に示す原理図を参照して説明する。ゲート用直流電圧Ｖｓｇは、例示のように、自動車に搭載するランプ類の駆動装置１として構成する場合、１０．８〔ｋＶ〕に設定している。この場合、バッテリ電圧の変動を６〜１６〔Ｖ〕、電圧安定化回路６から出力するゲート印加電圧Ｖ１ｇを仮に３．７〔ｋＶ〕と想定した場合、４．５〜１２〔ｋＶ〕の変動が生じ、耐圧化入力回路１１には、最大７〔ｋＶ〕の高電圧が印加される。このため、本実施形態では、複数のＦＥＴ８ｓ…を本来のＦＥＴである第一特定ＦＥＴ８ｓｃに対して順次シリーズ接続し、第一特定ＦＥＴ８ｓｃのゲートに安定化制御信号Ｓｃを付与するのみで、全てのＦＥＴ８ｓ…，８ｓｃに印加される電圧が等しくなるようにした。これにより、７〔ｋＶ〕の高電圧に対しては、１．５〔ｋＶ〕耐圧のＦＥＴ８ｓ…（第一特定ＦＥＴ８ｓｃを含む）を全部で５個以上直列接続すれば対応が可能となり、この際、各ＦＥＴ８ｓ…，８ｓｃに印加される電圧は、１．３〔ｋＶ〕程度となる。なお、図３中、Ｒｒは第一特定ＦＥＴ８ｓｃのソースとグランドＧ間の等価抵抗を示す。
【００５０】
また、上述した安定化制御信号Ｓｃは分圧回路１２及び電圧帰還回路１３により生成され、第一特定ＦＥＴ８ｓｃのゲート（制御入力部）８ｓｃｇに付与される。図４に、分圧回路１２及び電圧帰還回路１３の原理図を示す。図４に示すように、電圧安定化回路６からの出力、即ち、第一特定ＦＥＴ８ｓｃのソースから出力するゲート用安定化電圧Ｖ１ｄｇが変動した場合、分圧回路１２を構成する分圧抵抗Ｒ１とＲ２の接続点ｐ１の電圧も変動する。したがって、抵抗Ｒ１の両端電圧も変動し、図４中、電流ｉ１，ｉ２も変動する。この結果、第一特定ＦＥＴ８ｓｃのゲート８ｓｃｇに付与される電圧も変動する。この電圧は安定化制御信号Ｓｃとして機能し、ゲート用安定化電圧Ｖ１ｄｇの変動を是正するように作用するため、電圧安定化回路６の出力電圧となるゲート用安定化電圧Ｖ１ｄｇが安定化される。
【００５１】
一方、ゲート用安定化電圧Ｖ１ｄｇは、第１ゲート電圧制御回路７１に付与される第１ゲート用安定化電圧Ｖ１ｄｇとなるが、第２ゲート電圧制御回路７２…第Ｎゲート電圧制御回路７ｎに付与される第２ゲート用安定化電圧Ｖ２ｄｇ…第Ｎゲート用安定化電圧Ｖｎｄｇは、分圧出力回路１４に基づいて生成される。図５は、第２ゲート電圧制御回路７２に付与される第２ゲート用安定化電圧Ｖ２ｄｇの生成系を原理図で示している。図５に示すように、上述した第１ゲート用安定化電圧Ｖ１ｄｇを出力する第一特定ＦＥＴ８ｓｃとグランドＧ間に、分圧出力回路１４を構成するＦＥＴ（電圧制御素子）８ｇをシリーズ接続、即ち、第一特定ＦＥＴ８ｓｃの電圧出力部（ソース）８ｓｇｓに対してＦＥＴ８ｇのドレインを接続し、第１ゲート用安定化電圧Ｖ１ｄｇを抵抗Ｒ１０及びＲ１１の直列接続を介してグランドＧに接続した場合、抵抗Ｒ１０とＲ１１の接続点ｐ２の電圧Ｖｇは、Ｖｇ＝Ｖ１ｄｇ×（Ｒ１１／（Ｒ１０＋Ｒ１１））となり、抵抗Ｒ１０とＲ１１の抵抗値比率でＶ１ｄｇを分割した値となる。一方、この接続点ｐ２に、ＦＥＴ８ｇのゲートを接続し、ＦＥＴ８ｇのソースを電圧安定化回路６の第２ゲート用安定化電圧Ｖ２ｄｇとした場合、この接続点ｐ２の電圧Ｖｇとほぼ等しくなる。この場合、第１ゲート用安定化電圧Ｖ１ｄｇは、上述したように、電圧安定化が図られているため、この第１ゲート用安定化電圧Ｖ１ｄｇを分割した接続点ｐ２の電圧Ｖｇも電圧安定化が図られる。この結果、目的の第２ゲート用安定化電圧Ｖ２ｄｇもいわば自動的に電圧安定化が図られる。
【００５２】
したがって、分圧出力回路１４を用いれば、同様の原理により、第３ゲート用安定化電圧Ｖ３ｄｇ…第Ｎゲート用安定化電圧Ｖｎｄｇも同様に生成することができる。図６は、図５に対して、第三ゲート用電圧Ｖ３ｄｇを含めた生成系を原理図で示している。図６に示すように、第二ゲート用電圧Ｖ２ｄｇに加え、第三ゲート用電圧Ｖ３ｄｇを生成する場合であっても、第二ゲート用電圧Ｖ２ｄｇを生成する場合と同様の回路ユニットを追加することにより、第三ゲート用電圧Ｖ３ｄｇを生成することができる。この場合、抵抗Ｒ１０，Ｒ１１，Ｒ１２の大きさを変更すれば、第二ゲート用電圧Ｖ２ｄｇ，第三ゲート用電圧Ｖ３ｄｇの大きさを任意に変更（設定）できる。
【００５３】
このように、分圧出力回路１４を用いれば、比較的少ない部品点数の簡易な回路構成により、異なる複数の安定化電圧を容易に得ることができるとともに、シリーズ接続した複数のＦＥＴ８ｇ…を設ければ、ＦＥＴ８ｇ…に対して抵抗を組合わせるなどにより、必要とする電圧の安定化を容易かつ確実に行うことができる。なお、図６において、ｐ２は抵抗Ｒ１０とＲ１１の接続点、ｐ３は抵抗Ｒ１１とＲ１２の接続点、Ｒｄは第三ゲート用電圧Ｖ３ｄｇを出力するＦＥＴ８ｇのソースとグランドＧ間の等価抵抗を示す。
【００５４】
他方、ゲート電圧制御回路７１…は次のように機能する。図７に第１ゲート電圧制御回路７１の原理図を示す。第１ゲート電圧制御回路７１（他の第２ゲート電圧制御回路７２…第Ｎゲート電圧制御回路７ｎも同じ）には、第１ゲート用安定化電圧Ｖ１ｄｇが入力する。この際、第１ゲート電圧制御回路７１は、前述した電圧帰還回路１３ｔを備えているため、第１ゲート電圧制御回路７１からは電圧が安定化されたゲート印加電圧Ｖ１ｇが出力し、電界放出型ランプＬ１のゲートＬ１ｇに付与される。この場合、第１ゲート電圧制御回路７１には、電圧帰還回路１３ｔを備えるため、抵抗Ｒ２０とＲ２１の接続点ｐ４の電圧がＦＥＴ３２のゲートにフィードバックされ、ゲート印加電圧Ｖ１ｇの電圧安定化が図られる。
【００５５】
また、第１ゲート電圧制御回路７１には、ゲート印加電圧Ｖ１ｇを制御用電圧Ｖ１ｃにより制御する電圧調整回路１５を備えるため、制御用電圧Ｖ１ｃの大きさを変更すれば、ゲート印加電圧Ｖ１ｇの大きさ（輝度）の調整（調光制御）を簡易な回路構成により容易かつ確実に実現できる。この場合、制御用電圧Ｖ１ｃは制御回路２２から付与される。制御用電圧Ｖ１ｃには、電界放出型ランプＬ１に対して直列接続した電流検出部ＤＸ１により検出される負荷電流の検出結果に基づく制御用電圧Ｖ１ｃが含まれる。これにより、何らかの外乱により電界放出型ランプＬ１の輝度が変動したとしても常に輝度が一定に維持されるようにフィードバック制御が行われる。さらに、制御用電圧Ｖ１ｃには、利用者が輝度操作部を操作し、任意の輝度に調整（設定）するための制御用電圧Ｖ１ｃが含まれるため、この制御用電圧Ｖ１ｃに基づいて任意の輝度に設定される。
【００５６】
よって、このような本実施形態に係る駆動装置１によれば、同一規格となる複数の電界放出型ランプＬ１…間における発光上のバラツキを解消できることに加え、異なる規格（種類）を有する複数の電界放出型ランプＬ１…を同時に発光させる場合にも、各電界放出型ランプＬ１…を本来の規格となるように正確な輝度により発光させることができる。したがって、複数の各種電界放出型ランプＬ１…を含む様々な分野における照明システムに適用することができるなど、汎用性及び応用性（発展性）に優れる。また、同一規格となる複数の電界放出型ランプＬ１…を発光させる場合、及び異なる規格（種類）を有する複数の電界放出型ランプＬ１…を同時に発光させる場合、の双方に対して、単一の駆動装置１により的確に対応することができる。したがって、部品点数の有効な削減、更には、装置全体の小型化、消費電力の削減及びコストダウンを図ることができるなど、特に、様々な規格（種類）のランプ類を搭載する自動車の照明系などに適用して最適となる。
【００５７】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。例えば、整流回路５として多倍電圧整流回路５ｐを用いた場合を例示したが、他の整流回路を排除するものではない。また、昇圧トランス４としてアイソレーションタイプのトランスを使用したが、単巻トランスであってもよく、トランスの種類は問わない。さらに、電圧制御素子８ｓ…，８ｓｃ，８ｇ…として、ＦＥＴ（電界効果トランジスタ）を用いた例を示したが、同様の機能を発揮する他の電圧制御素子の使用を排除するものではない。しかし、ＦＥＴを用いれば、比較的ポピュラな部品（ＦＥＴ）の使用により、容易かつ低コストに実施することができる利点を有する。一方、耐圧化入力回路１１は、耐電圧性能の高いＦＥＴ等の使用が可能であれば、必ずしも設けることを要しない。その他、細部の回路構成は、同様の機能を発揮する以上、他の回路構成により置換することができる。なお、図７中、抵抗Ｒ２１とＲ２２は削除も可能である。この場合にはＦＥＴ３３のドレインを接続点ｐ４に直接接続すればよい。
【産業上の利用可能性】
【００５８】
本発明に係る駆動装置１は、電界放出型照明ランプ（ＦＥＬ）や電界放出型表示装置（ＦＥＤ）など、各種用途における電界放出型ランプに利用することができ、同様の発光原理を用いる以上、その名称は問わない。
【符号の説明】
【００５９】
１：駆動装置，２：信号回路，３：スイッチング回路，３ａ：スイッチング素子，３ｂ：スイッチング素子，４：昇圧トランス，５：整流回路，５ｐ：多倍電圧整流回路，６：電圧安定化回路，７１…７ｎ：ゲート電圧制御回路，８ｓ…電圧制御素子（ＦＥＴ），８ｓｃ：第一特定電圧制御素子（第一特定ＦＥＴ），８ｓｃｇ：制御入力部（ゲート），８ｓｃｓ：電圧出力部（ソース），８ｇ…：電圧制御素子（ＦＥＴ），１１：耐圧化入力回路，１１ｘ：帰還用トランジスタ，１２：分圧回路，１３：電圧帰還回路，１４：分圧出力回路，１５：電圧調整回路，Ｓａ：スイッチング信号，Ｓｂ：スイッチング信号，Ｓｃ：安定化制御信号，Ｖｉ：直流入力電圧，Ｖｔｏ：出力電圧，Ｖｓｇ：ゲート用直流電圧，Ｖｓａ：アノード用直流電圧，Ｖ１ｄｇ…Ｖｎｄｇ：ゲート用安定化電圧，Ｖ１ｇ…Ｖｎｇ：ゲート印加電圧，Ｖｐ：分圧電圧，Ｖ１ｃ…：制御用電圧，Ｌ１…Ｌｎ：電界放出型ランプ，Ｌ１ｇ…Ｌｎｇ：ゲート，Ｌ１ａ…Ｌｎａ：アノード，Ｄｓ…：ダイオード，Ｄｔｐ：ツェナダイオード，Ｃｓ…：コンデンサ
【図１】
2013232360.tif 000003
【図２】
2013232360.tif 000004
【図３】
2013232360.tif 000005
【図４】
2013232360.tif 000006
【図５】
2013232360.tif 000007
【図６】
2013232360.tif 000008
【図７】
2013232360.tif 000009